【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
複数の通信装置へデータを送信する制御装置であって、
前記通信装置のそれぞれから、当該通信装置が通信可能な他の前記通信装置の識別情報を受信する受信手段と、
受信した前記識別情報に基づいて、前記データの伝送を中継する中継装置を前記複数の通信装置から選択する選択手段と、
前記選択手段において選択された前記中継装置による前記データの中継の通信タイミングを決定する決定手段と、
前記選択手段において選択された前記中継装置に対して、前記データの中継の指示と前記通信タイミングを通知する通知制御手段と、
前記データを伝送する伝送制御手段と、
を備え、
前記選択手段は、当該制御装置から２以上の伝送経路を介して前記データを受信する前記通信装置が存在するように前記決定を行うことを特徴とする制御装置。
【請求項２】
前記複数の通信装置のそれぞれに対し、当該通信装置が通信可能な他の前記通信装置の検出を指示する指示情報を送出する送出制御手段を更に備え、
前記受信手段は、前記指示情報の受信に応じて検出を行った前記通信装置のそれぞれから前記識別情報を受信することを特徴とする請求項１に記載の制御装置。
【請求項３】
前記制御装置と通信可能な通信装置を検出する検出手段を更に備え、
前記送出制御手段は、前記検出手段において検出された前記通信装置に対し、前記指示情報を送出することを特徴とする請求項２に記載の制御装置。
【請求項４】
前記選択手段は、前記受信手段により受信した前記識別情報の数に基づいて、前記中継装置を選択することを特徴とする請求項１乃至３のいずれか１項に記載の制御装置。
【請求項５】
前記選択手段は、通信可能な他の通信装置の数が最も多い前記通信装置から優先的に前記中継装置として選択することを特徴とする請求項１乃至４のいずれか１項に記載の制御装置。
【請求項６】
複数の通信装置へデータを送信する制御装置であって、
前記複数の通信装置のそれぞれから、当該通信装置が通信可能な他の通信装置の識別情報を受信する受信手段と、
前記受信手段により受信した前記識別情報の数に基づいて、複数の伝送経路を介して前記データを受信する通信装置が存在するように、前記複数の通信装置の中から前記データを中継伝送する中継装置を選択する選択手段とを有し、
前記受信手段は、少なくとも１つの通信装置から、当該通信装置と通信可能な他の通信装置の識別情報を２つ以上受信することを特徴とする制御装置。
【請求項７】
前記選択手段において選択された前記中継装置による前記データの中継の通信タイミングを決定する決定手段と、
前記選択手段により選択された前記中継装置に対して、前記決定手段において決定した前記通信タイミングを通知する通知手段を更に有することを特徴とする請求項６に記載の制御装置。
【請求項８】
ビーコン周期に伝送すべき前記データの量と、装置間における通信可能帯域と、に基づいて、該ビーコン周期に伝送すべきデータの伝送時間を演算する演算手段と、
前記伝送時間と前記ビーコン周期と、に基づいて該ビーコン周期に割り当て可能な中継通信スロット数を算出する算出手段とを更に備え、
前記選択手段は、前記算出手段において算出された前記中継通信スロット数の前記中継装置を選択し、
前記決定手段は、更に、前記算出手段において算出された前記中継通信スロット数に基づいて、前記通信タイミングを決定することを特徴とする請求項１乃至５のいずれか１項、又は、請求項７に記載の制御装置。
【請求項９】
前記受信手段は、更に、前記通信装置のそれぞれから、外部装置との間の通信における通信品質を示す品質情報を受信し、
前記選択手段は、更に、前記品質情報に基づいて前記選択を行うことを特徴とする請求項１乃至８のいずれか１項に記載の制御装置。
【請求項１０】
前記選択手段は、当該制御装置との間の通信品質が最も高い前記通信装置から優先的に前記中継装置として選択することを特徴とする請求項９に記載の制御装置。
【請求項１１】
複数の通信装置と、該複数の通信装置へデータを送出する制御装置と、を備える無線通信システムにおける該通信装置であって、
当該通信装置が通信可能な他の通信装置の識別情報を送出する送出手段と、
外部装置からの無線信号を受信する信号受信手段と、
データ中継の指示と通信タイミングが前記制御装置から通知されている場合は、受信した前記データを該通信タイミングで送出制御する送出制御手段と、
を備えることを特徴とする通信装置。
【請求項１２】
複数の通信装置と、該複数の通信装置へデータを送出する制御装置と、を備える無線通信システムであって、
前記制御装置は、
前記通信装置のそれぞれから、当該通信装置が通信可能な他の前記通信装置の識別情報を受信する受信手段と、
受信した前記識別情報に基づいて、前記データの伝送を中継する中継装置を前記複数の通信装置から選択する選択手段と、
前記選択手段において選択された前記中継装置による前記データの中継の通信タイミングを決定する決定手段と、
前記選択手段において選択された前記中継装置に対して、前記データの中継の指示と前記通信タイミングを通知する通知制御手段と、
前記データを伝送する伝送制御手段と、
を備え、
前記通信装置は、
前記識別情報を送出する送出手段と、
外部装置からの無線信号を受信する信号受信手段と、
前記データ中継の指示と前記通信タイミングが通知されている場合は、受信した前記データを該通信タイミングで送出制御する送出制御手段と、
を備え、
前記選択手段は、当該制御装置から２以上の伝送経路を介して前記データを受信する前記通信装置が存在するように前記中継装置を選択する
ことを特徴とする無線通信システム。
【請求項１３】
複数の通信装置と、該複数の通信装置へデータを送出する制御装置と、を備える無線通信システムであって、
前記制御装置は、
前記複数の通信装置のそれぞれから、当該通信装置が通信可能な他の通信装置の識別情報を受信する受信手段と、
前記受信手段により受信した前記識別情報の数に基づいて、複数の伝送経路を介して前記データを受信する通信装置が存在するように、前記複数の通信装置の中から前記データを中継伝送する中継装置を選択する選択手段とを有し、
前記通信装置は、
当該通信装置が通信可能な他の通信装置を検出する検出手段と、
前記検出手段により検出された前記他の通信装置の識別情報を前記制御装置に送信する送信手段と、
前記制御装置により前記データの中継装置として選択された場合、受信した前記データを送出する送出手段とを有し、
前記取得手段は、少なくとも１つの通信装置から、当該通信装置と通信可能な他の通信装置の識別情報を２つ以上取得する
ことを特徴とすることを特徴とする無線通信システム。
【請求項１４】
複数の通信装置へデータを送信する制御装置の制御方法であって、
受信手段が、前記通信装置のそれぞれから、当該通信装置が通信可能な他の前記通信装置の識別情報を受信する受信工程と、
選択手段が、受信した前記識別情報に基づいて、前記データの伝送を中継する中継装置を前記複数の通信装置から選択する選択工程と、
決定手段が、前記選択工程において選択された前記中継装置による前記データの中継の通信タイミングを決定する決定工程と、
通知制御手段が、前記選択工程において選択された前記中継装置に対して、前記データの中継の指示と前記通信タイミングを通知する通知制御工程と、
伝送制御手段が、前記データを伝送する伝送制御工程と、
を備え、
前記選択工程は、当該制御装置から２以上の伝送経路を介して前記データを受信する前記通信装置が存在するように前記選択を行うことを特徴とする制御方法。
【請求項１５】
複数の通信装置へデータを送信する制御装置の制御方法であって、
受信手段が、前記複数の通信装置のそれぞれから、当該通信装置が通信可能な他の通信装置の識別情報を受信する受信工程と、
選択手段が、前記受信工程において受信した前記識別情報の数に基づいて、複数の伝送経路を介して前記データを受信する通信装置が存在するように、前記複数の通信装置の中から前記データを中継伝送する中継装置を選択する選択工程を有し、
前記受信工程は、少なくとも１つの通信装置から、当該通信装置と通信可能な他の通信装置の識別情報を２つ以上取得することを特徴とする制御方法。
【請求項１６】
複数の通信装置と、該複数の通信装置へデータを送出する制御装置と、を備える無線通信システムにおける該通信装置の制御方法であって、
送出手段が、前記通信装置が通信可能な他の前記通信装置の識別情報を送出する送出工程と、
信号受信手段が、外部装置からの無線信号を受信する信号受信工程と、
送出制御手段が、データ中継の指示と通信タイミングが前記制御装置から通知されている場合は、受信した前記データを該通信タイミングで送出制御する送出制御工程と、
を備えることを特徴とする通信装置の制御方法。
【請求項１７】
コンピュータを、請求項１乃至１０のいずれか１項に記載の制御装置、又は、請求項１１に記載の通信装置として機能させるためのプログラム。
【手続補正２】
【補正対象書類名】明細書
【補正対象項目名】発明の名称
【補正方法】変更
【補正の内容】
【発明の名称】制御装置及びその制御方法、通信装置及びその制御方法、無線通信システム、及び、プログラム
【手続補正３】
【補正対象書類名】明細書
【補正対象項目名】０００１
【補正方法】変更
【補正の内容】
【０００１】
本発明は、制御装置及びその制御方法、通信装置及びその制御方法、無線通信システム、及び、プログラムに関する。
【手続補正４】
【補正対象書類名】明細書
【補正対象項目名】０００８
【補正方法】変更
【補正の内容】
【０００８】
上記目的を達成するため、本発明による制御装置は以下の構成を備える。即ち、
複数の通信装置へデータを送信する制御装置であって、
前記通信装置のそれぞれから、当該通信装置が通信可能な他の前記通信装置の識別情報を受信する受信手段と、
受信した前記識別情報に基づいて、前記データの伝送を中継する中継装置を前記複数の通信装置から選択する選択手段と、
前記選択手段において選択された前記中継装置による前記データの中継の通信タイミングを決定する決定手段と、
前記選択手段において選択された前記中継装置に対して、前記データの中継の指示と前記通信タイミングを通知する通知制御手段と、
前記データを伝送する伝送制御手段と、
を備え、
前記選択手段は、当該制御装置から２以上の伝送経路を介して前記データを受信する前記通信装置が存在するように前記決定を行う。
【手続補正５】
【補正対象書類名】明細書
【補正対象項目名】０００９
【補正方法】変更
【補正の内容】
【０００９】
また、本発明による通信装置は以下の構成を備える。即ち、
複数の通信装置と、該複数の通信装置へデータを送出する制御装置と、を備える無線通信システムにおける該通信装置であって、
当該通信装置が通信可能な他の通信装置の識別情報を送出する送出手段と、
外部装置からの無線信号を受信する信号受信手段と、
データ中継の指示と通信タイミングが前記制御装置から通知されている場合は、受信した前記データを該通信タイミングで送出制御する送出制御手段と、
を備える。
【手続補正６】
【補正対象書類名】明細書
【補正対象項目名】００１０
【補正方法】変更
【補正の内容】
【００１０】
また、本発明による無線通信システムは以下の構成を備える。即ち、
複数の通信装置と、該複数の通信装置へデータを送出する制御装置と、を備える無線通信システムであって、
前記制御装置は、
前記通信装置のそれぞれから、当該通信装置が通信可能な他の前記通信装置の識別情報を受信する受信手段と、
受信した前記識別情報に基づいて、前記データの伝送を中継する中継装置を前記複数の通信装置から選択する選択手段と、
前記選択手段において選択された前記中継装置による前記データの中継の通信タイミングを決定する決定手段と、
前記選択手段において選択された前記中継装置に対して、前記データの中継の指示と前記通信タイミングを通知する通知制御手段と、
前記データを伝送する伝送制御手段と、
を備え、
前記通信装置は、
前記識別情報を送出する送出手段と、
外部装置からの無線信号を受信する信号受信手段と、
前記データ中継の指示と前記通信タイミングが通知されている場合は、受信した前記データを該通信タイミングで送出制御する送出制御手段と、
を備え、
前記選択手段は、当該制御装置から２以上の伝送経路を介して前記データを受信する前記通信装置が存在するように前記中継装置を選択する。
【手続補正７】
【補正対象書類名】明細書
【補正対象項目名】００１１
【補正方法】変更
【補正の内容】
【００１１】
また、本発明による制御局装置の制御方法は以下の構成を備える。即ち、
複数の通信装置へデータを送信する制御装置の制御方法であって、
受信手段が、前記通信装置のそれぞれから、当該通信装置が通信可能な他の前記通信装置の識別情報を受信する受信工程と、
選択手段が、受信した前記識別情報に基づいて、前記データの伝送を中継する中継装置を前記複数の通信装置から選択する選択工程と、
決定手段が、前記選択工程において選択された前記中継装置による前記データの中継の通信タイミングを決定する決定工程と、
通知制御手段が、前記選択工程において選択された前記中継装置に対して、前記データの中継の指示と前記通信タイミングを通知する通知制御工程と、
伝送制御手段が、前記データを伝送する伝送制御工程と、
を備え、
前記選択工程は、当該制御装置から２以上の伝送経路を介して前記データを受信する前記通信装置が存在するように前記選択を行う。
【手続補正８】
【補正対象書類名】明細書
【補正対象項目名】００１２
【補正方法】変更
【補正の内容】
【００１２】
また、本発明による通信装置の制御方法は以下の構成を備える。即ち、
複数の通信装置と、該複数の通信装置へデータを送出する制御装置と、を備える無線通信システムにおける該通信装置の制御方法であって、
送出手段が、前記通信装置が通信可能な他の前記通信装置の識別情報を送出する送出工程と、
信号受信手段が、外部装置からの無線信号を受信する信号受信工程と、
送出制御手段が、データ中継の指示と通信タイミングが前記制御装置から通知されている場合は、受信した前記データを該通信タイミングで送出制御する送出制御工程と、
を備える。
【手続補正９】
【補正対象書類名】明細書
【補正対象項目名】００１３
【補正方法】変更
【補正の内容】
【００１３】
本発明によれば、制御局から複数の通信装置に対してデータを無線伝送するシステムに於いて、高い信頼性でデータを無線伝送することができる。